【手続補正書】
【提出日】平成23年2月8日(2011.2.8)
【手続補正１】
【補正対象書類名】特許請求の範囲
【補正対象項目名】全文
【補正方法】変更
【補正の内容】
【特許請求の範囲】
【請求項１】
下記式（１）で表される繰り返し単位からなる数平均分子量３００〜５００００のポリカーボネートジオールがウレタン結合を介して重合しており、かつ末端に重合性不飽和基を有してなる数平均分子量１，０００〜１００，０００のポリマー。
【化１】
2009203363.tif 000001
（式中、Ｒ１は、窒素、硫黄、酸素原子からなる群より選ばれる少なくとも一つの原子を主鎖および／又は側鎖に含む炭素数３〜５０の直鎖又は分岐した炭化水素基を表す。）
【請求項２】
前記式（１）で、Ｒ１がジエチレングリコール、トリエチレングリコール、グリセリン、１，２，６−ヘキサントリオール、ジヒドロキシアセトン、２−アミノー２メチルー１，３−プロパンジオール、１，４：３，６−ジアンヒドログルシトール、ジエタノールアミン、Ｎ−メチルジエタノールアミン、ジヒドロキシエチルアセトアミド、２−（２−アミノエトキシ）エタノール、２，２−ジチオジエタノール、２，５−ジヒドロキシ−１，４−ジチアン、５―メルカプトピリミジンー２，４―ジオール、３−（メチルチオ）−１，２−プロパンジオール、３−エチルチオ−１，２−プロパンジオール、３−チア−１，６−ヘキサンジオ−ル、４−メチル−２−チアペンタン−１，５−ジオール、グルタミジオール、２−アミノ−２−エチル−１，３−プロパンジオール、２，６−ピリジンジオール、１−（ジメチルアミノ）−１，３−プロパンジオール、３−オキサ−６−チアオクタン−１，８−ジオール、５−メチル−３−チアヘキサン−１，６−ジオール、２，２′−（エチレンビスチオ）ジエタノ−ル、３，９−ジチア−６−オキサノナン−１，９−ジオール、２−アミノ−１，３−ヘキサンジオール、３−メトキシ−１，２−プロパンジオール又は２−メトキシ−１，３−プロパンジオール由来の基である請求項１に記載のポリマー。
【請求項３】
重合性不飽和基が二重結合である請求項１又は２に記載のポリマー。
【請求項４】
末端にイソシアナトアルキル（メタ）アクリレートが結合した請求項１〜３のいずれか１項に記載のポリマー。
【請求項５】
末端にヒドロキシアルキル（メタ）アクリレートが結合した請求項１〜３のいずれか１項に記載のポリマー。
【請求項６】
請求項１〜５のいずれか１項に記載のポリマーと、重合性不飽和基を有する有機化合物とを含有する印刷原版用樹脂組成物。
【請求項７】
光重合開始剤を更に含有する請求項６に記載の印刷原版用樹脂組成物。
【請求項８】
無機系微粒子をさらに含有する請求項６又は７に記載の印刷原版用樹脂組成物。
【請求項９】
請求項６〜８のいずれか１項に記載の樹脂組成物より得られうる印刷原版。
【請求項１０】
請求項９に記載の印刷原版表面に凹凸形状を形成することにより得られうる印刷版。
【請求項１１】
下記式（１）で表される繰り返し単位からなる数平均分子量３００〜５０，０００のポリカーボネートジオールを、その末端水酸基の当量未満のイソシアナート基当量のポリイソシアナート化合物を反応させ、ウレタン結合を介してポリカーボネートジオールを重合させのち、ポリカーボネートジオールの残存する末端水酸基と、イソシアナトアルキル（メタ）アクリレートを反応させることを特徴とする請求項１〜４のいずれかに記載のポリマーの製造方法。
【化３】
2009203363.tif 000002
（式中、Ｒ１は、窒素、硫黄、酸素原子からなる群より選ばれる少なくとも一つの原子を主鎖および／又は側鎖に含む炭素数３〜５０の直鎖又は分岐した炭化水素基を表す。）
【請求項１２】
下記式（１）で表される繰り返し単位からなる数平均分子量３００〜５０，０００のポリカーボネートジオールを、その末端水酸基の当量を超えるイソシアナート基当量のポリイソシアナート化合物を反応させ、ウレタン結合を介してポリカーボネートジオールを重合させのち、残存する末端イソシアナート基と、ヒドロキシアルキル（メタ）アクリレートを反応させることを特徴とする請求項１、２、３および５のいずれか１項に記載のポリマーの製造方法。
【化４】
2009203363.tif 000003
（式中、Ｒ１は、窒素、硫黄、酸素原子からなる群より選ばれる少なくとも一つの原子を
主鎖および／又は側鎖に含む炭素数３〜５０の直鎖又は分岐した炭化水素基を表す。）
【請求項１３】
ポリイソシアナート化合物が、ジイソシアナート化合物である請求項１１又は１２に記載のポリマーの製造方法。
【請求項１４】
ポリイソシアナート化合物が、芳香族ジイソシアナート化合物である請求項１１〜１３のいずれか１項に記載のポリマーの製造方法。
【手続補正２】
【補正対象書類名】明細書
【補正対象項目名】０００６
【補正方法】変更
【補正の内容】
【０００６】
（式中、Ｒ１は、窒素、硫黄、酸素原子からなる群より選ばれる少なくとも一つの原子を主鎖および／又は側鎖に含む炭素数３〜５０の直鎖又は分岐した炭化水素基を表す。）
２．前記式（１）で、Ｒ１がジエチレングリコール、トリエチレングリコール、グリセリン、１，２，６−ヘキサントリオール、ジヒドロキシアセトン、２−アミノー２メチルー１，３−プロパンジオール、１，４：３，６−ジアンヒドログルシトール、ジエタノールアミン、Ｎ−メチルジエタノールアミン、ジヒドロキシエチルアセトアミド、２−（２−アミノエトキシ）エタノール、２，２−ジチオジエタノール、２，５−ジヒドロキシ−１，４−ジチアン、５―メルカプトピリミジンー２，４―ジオール、３−（メチルチオ）−１，２−プロパンジオール、３−エチルチオ−１，２−プロパンジオール、３−チア−１，６−ヘキサンジオ−ル、４−メチル−２−チアペンタン−１，５−ジオール、グルタミジオール、２−アミノ−２−エチル−１，３−プロパンジオール、２，６−ピリジンジオール、１−（ジメチルアミノ）−１，３−プロパンジオール、３−オキサ−６−チアオクタン−１，８−ジオール、５−メチル−３−チアヘキサン−１，６−ジオール、２，２′−（エチレンビスチオ）ジエタノ−ル、３，９−ジチア−６−オキサノナン−１，９−ジオール、２−アミノ−１，３−ヘキサンジオール、３−メトキシ−１，２−プロパンジオール又は２−メトキシ−１，３−プロパンジオール由来の基である前項１に記載のポリマー。
３．重合性不飽和基が二重結合である前項１又は２に記載のポリマー。
４．末端にイソシアナトアルキル（メタ）アクリレートが結合した前項１〜３のいずれか１項に記載のポリマー。
５．末端にヒドロキシアルキル（メタ）アクリレートが結合した前項１〜３のいずれか１項に記載のポリマー。
６．前項１〜５のいずれか１項に記載のポリマーと、重合性不飽和基を有する有機化合物とを含有する印刷原版用樹脂組成物。
７．光重合開始剤を更に含有する前項６に記載の印刷原版用樹脂組成物。
８．無機系微粒子をさらに含有する前項６又は７に記載の印刷原版用樹脂組成物。
９．前項６〜８のいずれか１項に記載の樹脂組成物より得られうる印刷原版。
１０．前項９に記載の印刷原版表面に凹凸形状を形成することにより得られうる印刷版。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
１１．下記式（１）で表される繰り返し単位からなる数平均分子量３００〜５０，０００のポリカーボネートジオールを、その末端水酸基の当量未満のイソシアナート基当量のポリイソシアナート化合物を反応させ、ウレタン結合を介してポリカーボネートジオールを重合させのち、ポリカーボネートジオールの残存する末端水酸基と、イソシアナトアルキル（メタ）アクリレートを反応させることを特徴とする前項１〜４のいずれかに記載のポリマーの製造方法。
【手続補正５】
【補正対象書類名】明細書
【補正対象項目名】００１０
【補正方法】変更
【補正の内容】
【００１０】
（式中、Ｒ１は、窒素、硫黄、酸素原子からなる群より選ばれる少なくとも一つの原子を主鎖および／又は側鎖に含む炭素数３〜５０の直鎖又は分岐した炭化水素基を表す。）
１２．下記式（１）で表される繰り返し単位からなる数平均分子量３００〜５０，０００のポリカーボネートジオールを、その末端水酸基の当量を超えるイソシアナート基当量のポリイソシアナート化合物を反応させ、ウレタン結合を介してポリカーボネートジオールを重合させのち、残存する末端イソシアナート基と、ヒドロキシアルキル（メタ）アクリレートを反応させることを特徴とする前項１、２、３および５のいずれか１項に記載のポリマーの製造方法。
【手続補正６】
【補正対象書類名】明細書
【補正対象項目名】００１２
【補正方法】変更
【補正の内容】
【００１２】
（式中、Ｒ１は、窒素、硫黄、酸素原子からなる群より選ばれる少なくとも一つの原子を主鎖および／又は側鎖に含む炭素数３〜５０の直鎖又は分岐した炭化水素基を表す。）
１３．ポリイソシアナート化合物が、ジイソシアナート化合物である前項１１又は１２に記載のポリマーの製造方法。
１４．ポリイソシアナート化合物が、芳香族ジイソシアナート化合物である前項１１〜１３のいずれか１項に記載のポリマーの製造方法。